(57)【特許請求の範囲】
【請求項１】
複数の対物レンズを観察光軸上に切換え可能に挿入位置決めする対物レンズ交換手段を有する光学顕微鏡において、
標本の観察範囲を照明可能な照明光を出射する光源と、
この光源からの照明光を前記標本の観察範囲に照射する照明光学系と、
前記対物レンズ交換手段により前記観察光軸上に挿入位置決めされた対物レンズを通して前記照明光により照明される照明範囲の観察像を観察可能とする観察光学系とを具備し、
前記対物レンズ交換手段は、前記照明光学系の有効径に対応する瞳径を有する通常対物レンズと、前記観察光学系の有効径に対応する瞳径が、前記照明光学系の有効径より大きくなるような射出瞳径を有する大径対物レンズとを、選択的に前記観察光軸上に挿入位置決め可能にしたことを特徴とする光学顕微鏡。
【請求項２】
対物レンズ交換手段は、取付けネジ径の異なる複数の対物レンズを着脱可能にしたことを特徴とする請求項１記載の光学顕微鏡。
【請求項３】
対物レンズ交換手段は、取付けネジ径の異なる複数の対物レンズを着脱可能にするとともに、各対物レンズの同焦距離に応じて、それぞれ同焦が保たれるように各対物レンズの取付け面の高さを設定したことを特徴とする請求項１記載の光学顕微鏡。
【発明の詳細な説明】
【０００１】
【発明の属する技術分野】
本発明は、例えば生物蛍光標本の観察に用いられる光学顕微鏡に関するものである。
【０００２】
【従来の技術】
生物の細胞などの標本を観察する蛍光観察にあっては、マニピレータにより標本を操作したり電極による電位測定をしながら観察を行うようにしている。この場合、まず、標本全体を低倍の対物レンズで観察して観察部位を決め、この後、高倍の対物レンズに切換えで詳細な観察を行うようにしている。
【０００３】
そこで、従来、このように倍率の異なる対物レンズを切換えて使用可能にするため、対物レンズ交換機構を有する光学顕微鏡が考えられており、例えば、実開平６−４０９１０号公報、実開平６−４７２０号公報、特開平８−３３８９４０号公報にそれぞれ開示されたものが知られている。つまり、これら光学顕微鏡では、国際規格（同焦距離４５ｍｍ、取付けねじ径をＷ２０．３２、山３６）に則った取り付けネジ径が同一の対物レンズで、それぞれ倍率の異ものを複数個支持部材に取り付けていて、検鏡倍率の変換に応じて最適な倍率を有する対物レンズを観察光軸上に挿入できるようにしている。
【０００４】
ところで、このように対物レンズの倍率を切換えて蛍光観察に使用する場合、標本全体を観察する低倍の対物レンズは、できるだけ低い倍率のものが好ましいとされているが、従来では、１０倍程度の倍率のものが使用可能の限度とされていた。その理由は、低倍にするほど観察像が暗くなるからで、元来暗い蛍光像を観察するには、最低でもこの程度の倍率でないと観察できないからである。
【０００５】
また、低い倍率で蛍光観察を可能にするには、観察像を明るくする必要があり、励起光の強度を上げることで蛍光強度を増加させることも考えられるが、励起光を強くし過ぎると、標本が損傷を受けたり蛍光の退色が激しくなって観察に支障がでるおそれがあった。
【０００６】
【発明が解決しようとする課題】
そこで、低倍の対物レンズとして、例えば、倍率が１０倍より低く、しかも十分な観察像の明るさを確保できる対物レンズを使用すればよいが、上述した対物レンズ交換機構を有する光学顕微鏡によると、支持部材に取り付けられる対物レンズは、同一規格、同一の取り付けネジ径を有することを前提としているため、取り付けネジ径が異なる場合には、対物レンズ交換機構に同時に装着するとともに、切り替えて使用することはできず、また、対物レンズの同焦距離が異なると、対物レンズを交換した際に、その同焦差によりピント位置が標本面から大きくずれてしまい、再度ピント合わせを行う必要があるなど、使い勝手が悪くなるという問題があった。
本発明は、上記事情に鑑みてなされたもので、低倍の対物レンズによる蛍光観察を安定して行うことができる光学顕微鏡を提供することを目的とする。
【０００７】
【課題を解決するための手段】
請求項１記載の発明は、複数の対物レンズを観察光軸上に切換え可能に挿入位置決めする対物レンズ交換手段を有する光学顕微鏡において、標本の観察範囲を照明可能な照明光を出射する光源と、この光源からの照明光を前記標本の観察範囲に照射する照明光学系と、前記対物レンズ交換手段により前記観察光軸上に挿入位置決めされた対物レンズを通して前記照明光により照明される照明範囲の観察像を観察可能とする観察光学系とを具備し、前記対物レンズ交換手段は、前記照明光学系の有効径に対応する瞳径を有する通常対物レンズと、前記観察光学系の有効径に対応する瞳径が、前記照明光学系の有効径より大きくなるような射出瞳径を有する大径対物レンズとを、選択的に前記観察光軸上に挿入位置決め可能にしたことを特徴としている。
【０００８】
請求項２記載の発明は、請求項１記載において、対物レンズ交換手段は、取付けネジ径の異なる複数の対物レンズを着脱可能にしている。
請求項３記載の発明は、請求項１記載において、対物レンズ交換手段は、取付けネジ径の異なる複数の対物レンズを着脱可能にするとともに、各対物レンズの同焦距離に応じて、それぞれ同焦が保たれるように各対物レンズの取付け面の高さを設定している。
【０００９】
この結果、請求項１記載の発明によれば、観察光学系の有効径を大きくすることにより、蛍光標本の場合の観察像の明るさを増すことができ、より低い倍率での蛍光観察が可能になる。また、照明光学系については、有効径を大きくすることなく、従来のままとしておくことで、励起光の強度を変らないので、標本の損傷や退色の問題を悪化させることを防止できる。さらに、照明光学系（投光管、励起フィルタなど）は、従来のものをそのまま使用できるので、製造上有利であり、観察光学系のサイズアップだけで済むので、顕微鏡の小形化にも貢献することができる。
【００１０】
請求項２記載の発明によれば、照明光学系の有効径に対応する瞳径を有する対物レンズ、いわゆる通常対物レンズと、観察光学系の有効径（照明光学系の有効径より大きく設定されている）に対応する瞳径を有する対物レンズ、いわゆる大径対物レンズを同じ対物レンズ交換手段とを装着し、これら対物レンズを切換えて使用することができる。
【００１１】
請求項３記載の発明によれば、大径対物レンズを最適設計するために同焦距離を通常対物レンズと異ならした場合でも、同一の対物レンズ交換手段に装着して同焦が保たれた状態で切換えられるので、切換え時のピント合わせを不要にできる。
【００１２】
【発明の実施の形態】
以下、本発明の実施の形態を図面に従い説明する。
（第１の実施の形態）
図１は本発明の第１の実施の形態が適用される落射蛍光顕微鏡の概略構成を示している。図において、１は顕微鏡本体で、この顕微鏡本体１は、基部１０１に対して平行に突出したアーム１０２を有している。
【００１３】
顕微鏡本体１の基部１０１には、標本２を載置するステージ３を設けている。このステージ３は、標本２を載置した状態で観察光軸と垂直な平面内でＸ−Ｙ方向に移動可能にしている。
【００１４】
一方、焦準部１０３は、対物レンズ交換機構４を支持していて、顕微鏡本体１の基部１０１に設けられたハンドル５を回転操作することで、対物レンズ交換機構４を観察光軸に沿って上下動可能にしている。
【００１５】
対物レンズ交換機構４は、対物レンズ６、７を取付け、これら対物レンズ６、７を選択的にステージ３上の標本２に対する観察光軸上に挿入位置決め可能にしている。
【００１６】
この場合、対物レンズ６は、射出瞳径の大きな低倍（ここでは、おおむね５倍以下）の大径タイプのものからなり、また、対物レンズ７は、国際規格の通常タイプのものからなっている。ここで、倍率４倍の通常タイプのものでは、同焦距離４５ｍｍ、取付けねじ径をＷ２０．３２、山３６、ＮＡ＝０．１６であるのに対し、大径タイプのものでは、同焦距離６０ｍｍ、取付けねじ径Ｍ３５×１、ＮＡ＝０．２８となり、また、倍率２倍の通常タイプのものでは、同焦距離４５ｍｍ、取付けねじ径Ｗ２０．３２、山３６、ＮＡ＝０．０８であるのに対し、大径タイプのものでは、同焦距離６０ｍｍ、取付けねじ径Ｍ３５×１、ＮＡ＝０．１４となり、これら４倍、２倍のどちらも通常タイプのものに対して大径タイプのものは、計算上３倍の明るさを有している（明るさはＮＡの２割に比例する。）。なお、大径タイプの対物レンズ６は、明るさが２〜４倍となるように同焦距離、取付けネジ径を変え、ＮＡ値を設定してもよい。
【００１７】
アーム１０２上部には、ランプハウス８、投光管９およびミラーユニット１０を有するターレット１６を設けている。ランプハウス８は、照明源となる照明光を出射するものである。投光管９は、ランプハウス８の照明光を導くもので、この照明光を適正化するための少なくとも１個のレンズ（図示せず）を有している。ミラーユニット１０は、照明光のうち必要な波長域のみを選択する励起フィルタ１１、光路を曲げるためのダイクロイックミラー１２、標本からの発せられる蛍光のうち不利益な光線を除去するための吸収フィルタ１３を有している。
【００１８】
そして、ミラーユニット１０の上部には、鏡筒１４、接眼レンズ１５を設けている。
図２は、このように構成した落射蛍光顕微鏡の光路模式図を示すもので、ランプハウス８から出射された照明光８０１を、投光管９の光学系９０１より励起フィルタ１１を介してダイクロイックミラー１２で反射させ、対物レンズ交換機構４により観察光軸上に挿入位置決めされた対物レンズ６（７）を通ってステージ３上の標本２に照射し、この標本２から発せられた観察蛍光を再び対物レンズ６（７）を通し、吸収フィルタ１３を通して不利益な光線を除去したのち、結像レンズ１７より鏡筒１４、接眼レンズ１５を介して観察可能にしている。
【００１９】
従って、射出瞳径の大きな低倍の対物レンズ６を観察光軸上に挿入位置決めした状態では、標本２より発せられ対物レンズ６を通して得られる観察光学系の有効径ａは、照明光８０１による照明光学系の有効径ｂより大きくなっている。
【００２０】
図３および図４は、このような落射蛍光顕微鏡に適用される対物レンズ交換機構４の概略構成を示している。
図において、４０１は、対物レンズ交換機構４の固定部で、この固定部４０１上面にアリ４０２を設け、このアリ４０２により上述したアーム１０２に着脱可能にしている。また、固定部４０１は、下面にアリ溝４０３を設け、このアリ溝４０３に沿って可動部４０４を、図４に示す矢印方向に直線移動可能に設けている。
【００２１】
この可動部４０４は、２個の対物レンズ６、７のレンズ取付け部４０５、４０６を有していて、この可動部４０４を直線移動させることで、これらレンズ取付け部４０５、４０６を選択的に固定部４０１の観察光軸上の開口部４０１１と一致させることができるようになっている。この場合、固定部４０１には、ストッパ４０１２を設けていて、可動部４０４のレンズ取付け部４０５、４０６がそれぞれ観察光軸上に位置したときに、各レンズ取付け部４０５、４０６の側面４０５１、４０６１がストッパ４０１２に当接するようにしている。図面では、レンズ取付け部４０５の側面４０５１がストッパ４０１２に当接した状態を示している。
【００２２】
可動部４０４のレンズ取付け部４０５、４０６は、それぞれネジ径および同焦距離が異なる対物レンズ６、７を取付け可能にしている。このうち、レンズ取付け部４０５は、射出瞳径の大きな低倍の大径タイプ対物レンズとして、ＮＡを大きく取るために取付けネジ径を大きく、ワーキングディスタンスを大きくするため同焦距離を大きくした対物レンズ６を取付けるための取付けネジ径の取付けネジ部４０５２を有し、また、取付け部４０６は、通常の対物レンズ７の取付けるため国際規格に則った取付けネジ径の取付けネジ部４０６２を有している。さらに、これら取付け部４０５、４０６は、対物レンズ６、７の同焦差分の段差を有する対物レンズ取付け面４０５３、４０６３を有し、同焦距離の異なる対物レンズ６、７を切換えた時にも同焦が保たれるようにしている。
【００２３】
図５乃至図７は、ミラーユニット１０を有するターレット１６の概略構成を示している。
この場合、図５に示すターレット１６は、上述した投光管９に取付け部１６０１により着脱可能になっている。また、ターレット１６は、回転体１６０２を有し、この回転体１６０の中心に直立軸１６０３を設けている。このうちの回転体１６０２は、複数の開口部１６０４を有し、また、直立軸１６０３の周囲には、複数のミラーユニット１０を取付けるアリ１６０５を形成している。
【００２４】
ミラーユニット１０は、図６に示すように励起フィルタ１１、ダイクロイックミラー１２、吸収フィルタ１３を有するもので、図７に示すようにユニット側面にアリ溝１００１を有し、このアリ溝１００１を直立軸１６０３のアリ１６０５に嵌合することで、複数個のミラーユニット１０をターレット１６の回転体１６０２に取付け、この状態で、回転体１６０２とともに直立軸１６０３を回転させることにより、所望のミラーユニット１０を観察光軸上に位置させることができるようになっている。
【００２５】
なお、図６に示すミラーユニット１０では、有効径ｂの照明光学系に位置される励起フィルタ１１の径と、有効径ａの観察光学系に位置されるダイクロイックミラー１２、吸収フィルタ１３の径が異なるものを用いている。
【００２６】
次に、このように構成した実施の形態の動作を説明する。
この場合、まず、対物レンズ６、７を可動部４０４のレンズ取付け部４０５、４０６の取付けネジ部４０５２、４０６２にそれぞれ捩じ込み当て付けて固定し、アリ４０２を介して顕微鏡本体１の焦準部１０３に取付ける。また、ターレット１６の回転体１６０２を回転操作して所望するミラーユニット１０を観察光軸上に位置させる。
【００２７】
この状態から、可動部４０４を直線移動させ、まず、対物レンズ６のレンズ取付け部４０５の側面４０５１をストッパ４０１２に当接させて、射出瞳径の大きな低倍の対物レンズ６を観察光軸上に位置決めする。
【００２８】
そして、ランプハウス８の照明源を点灯し、ハンドル５を操作して、対物レンズ交換機構４を観察光軸に沿って上下動させ、標本２に対物レンズ６のピント位置が一致するように調整し、この状態で、ランプハウス８からの照明光８０１を、光学系９０１より励起フィルタ１１を介してダイクロイックミラー１２で反射させ、対物レンズ６を通して標本２に照射し、この標本２から発せられた観察蛍光を再び対物レンズ６を通し、吸収フィルタ１３を通したのち、鏡筒１４、接眼レンズ１５を介して落射蛍光観察を行う。
【００２９】
次に、可動部４０４を上述したと反対方向に直線移動させ、対物レンズ７のレンズ取付け部４０６の側面４０６１をストッパ４０１２に当接させて、通常の対物レンズ７を観察光軸上に位置決めし、今度は、対物レンズ７を通しての落射蛍光観察を行うようになる。ここで、検鏡法を変更する場合は、ターレット１６の回転体１６０２を操作して所望するミラーユニット１０を観察光軸上に位置させればよい。
【００３０】
従って、このようにすれば、ランプハウス８から出射された照明光８０１を投光管９、励起フィルタ１１を有する照明光学系を介してステージ３上の標本２に照射し、この標本２から発せられた観察蛍光を対物レンズ交換機構４により観察光軸上に選択的に挿入位置決めされる対物レンズ６、７、ダイクロイックミラー１２、吸収フィルタ１３を有する観察光学系を介して観察可能とするもので、観察光軸上に射出瞳径の大きな低倍の対物レンズ６が挿入位置決めされた場合の観察光学系の有効径ａを、照明光学系の有効径ｂより大きくなるようにしている。これにより、観察光学系の有効径ａを大きく設定したことにより、蛍光標本２の観察像の明るさを増すことができ、より低い倍率での蛍光観察が可能になる。また、照明光学系については、有効径を大きくすることなく、従来のままとしておくことで、励起光の強度を変らないので、標本の損傷や退色の問題を悪化させることを防止できる。さらに、照明光学系の投光管９や励起フィルタ１１は、従来のものをそのまま使用できるので、製造上有利であり、観察光学系のサイズアップだけで済むので、顕微鏡の小形化にも貢献することができる。
【００３１】
照明光学系の有効径ｂに対応する瞳径を有する通常対物レンズ７と、観察光学系の有効径ａに対応する瞳径を有する大径対物レンズ６を同じ対物レンズ交換機構４にを装着し、これら対物レンズ６、７を選択的に切換えて使用することができる。
【００３２】
対物レンズ交換機構４は、取付けネジ径の異なる取付けネジ部４０５１、４０６２に対物レンズ６、７を着脱可能にするとともに、対物レンズ６、７の同焦距離に応じて、それぞれの同焦が保たれるように対物レンズ取付け面４０５３、４０６３を設定しているので、大径対物レンズ６を最適設計するために同焦距離を通常対物レンズ７と異ならした場合でも、同一の対物レンズ交換機構４に装着して同焦が保たれた状態で切換えを行うことができ、切換え時のピント合わせを不要にできる。
【００３３】
ミラーユニット１０は、取付け可能な全ての対物レンズ６、７に対応して用意されている、対物レンズの変更にともなうミラーユニット１０を他から持ち込む必要がなく、ミラーユニット１０の交換操作が簡単にできる。また、対物レンズ６、７の切換えが検鏡者から見て前後方向のスライド操作になって対物レンズの左右スペースが大きく取れ、しかも、顕微鏡本体１に対物レンズ交換機構４を上下動させる対物レンズ上下動式を採用して、標本２の位置が固定になっているので、マニピュレータなどのアプリケーションに最適である。
【００３４】
また、顕微鏡本体１は、基部１０１に対して平行にアーム１０２を突出させたコ字型で形成されるので、剛性が高く、ＴＶカメラなどのシステムを組み合わせ易い。
【００３５】
なお、上述した実施の形態では、本発明を落射蛍光顕微鏡に適用した例を述べたが、これ以外のタイプの顕微鏡に対しても適用可能である。また、上述では、対物レンズ交換機構４に装着される対物レンズ６、７の同焦距離の差がキャンセルされるように対物レンズの胴付面の高さ位置を設定し、同焦距離の異なる対物レンズ６、７を同焦を保った状態で切換えを行っているが、この場合、対物レンズ６、７の取り付けネジ径は同一で、同焦距離のみ異なっていてもよい。さらに、対物レンズ６の同焦距離を対物レンズ７と同じになるように設定し、取付けネジ径だけを必要な光束径に合わせて変えるようにしてもよい。さらに、上述では、マニピュレータを使用するのに最適にするため、ステージ３を固定とし、対物レンズ６、７側を観察光軸上に沿って上下動させるようにしたが、ステージ３側を観察光軸に沿って上を上下動させるようにしてもよい。さらにまた、可動部４０４に設けられる取付けネジ部４０５の取付けネジ部４０５２は、大径タイプの対物レンズ６に合わせてあるが、通常対物レンズを使う場合に、この取付けネジ部４０５２を使ってアダプタを取付けてもよい。
（第２の実施の形態）
図８は、本発明の第２の実施の形態に適用される対物レンズ交換機構４の概略構成を示している。
【００３６】
図において、４１０は対物レンズ交換機構４の固定部で、この固定部４１０上面にアリ４１１を設け、このアリ４１１により上述した焦準部１０３に着脱可能にしている。
【００３７】
この固定部４１０には、軸４１２を中心に図示矢印方向に回動可能に回動部４１３を設けている。この回動部４１３は、２個の対物レンズ６、７のレンズ取付け部４１４、４１５を有していて、この回動部４１３を回動させることで、これらレンズ取付け部４１４、４１５を選択的に固定部４１０の観察光軸上と一致させることができるようになっている。この場合、固定部４１０には、ストッパ４１０１、４１０２を設けていて、各レンズ取付け部４１４、４１５がそれぞれ観察光軸上に位置したときに、回動部４１３の側面がストッパ４１０１、４１０２に当接するようにしている。図面では、回動部４１３の側面がストッパ４１０１に当接した状態を示している。
【００３８】
回動部４１３のレンズ取付け部４１４、４１５は、それぞれネジ径および同焦距離が異なる対物レンズ６、７を取付け可能にしている。このうち、レンズ取付け部４１４は、射出瞳径の大きな低倍の大径タイプ対物レンズとして、ＮＡを大きく取るために取付けネジ径を大きく、ワーキングディスタンスを大きくするため同焦距離を大きくした対物レンズ６を取付けるための取付けネジ径の取付けネジ部４１４１を有し、また、取付け部４１５は、通常の対物レンズ７の取付けるため国際規格に則った取付けネジ径の取付けネジ部４１５１を有している。さらに、これら取付け部４１４、４１５は、対物レンズ６、７の同焦差分の段差を有する対物レンズ取付け面４１４２、４１５２を有し、同焦距離の異なる対物レンズ６、７を切換えた時にも同焦が保たれるようにしている。
【００３９】
従って、このようにすれば、上述した第１の実施の形態と同様な効果が期待でき、さらに加えて、回動部４１３を回動させるだけで対物レンズ６、７の切換えを行うことができるので、対物レンズ交換機構４の構成を、さらに簡単にできるとともに、安定した切換え動作も得られる。
【００４０】
なお、回動部４１３に設けられるレンズ取付け部４１４の取付けネジ部４１４１は、大径タイプの対物レンズ６に合わせてあるが、通常対物レンズを使う場合に、この取付けネジ部４１４１を使ってアダプタを取付けてもよい。
（第３の実施の形態）
図９および図１０は、本発明の第３の実施の形態に適用される対物レンズ交換機構４の概略構成を示すもので、図３および図４と同一部分には、同符号を付している。
【００４１】
この場合、可動部４０４の対物レンズ７を取付けるためのレンズ取付け部４０６は、同焦調整部材４１７を有している。この同焦調整部材４１７は、ネジ部４１７１によりレンズ取付け部４０６に取付けられていて、このネジ部４１７１の捩じ込み量によりレンズ取付け部４０６に対し高さ調整できるようになっている。また、この同焦調整部材４１７には、対物レンズ７の取付けネジ部４１７２を設けている。
【００４２】
その他の構成は、図３および図４と同一である。
従って、このようにすれば、上述した第１の実施の形態と同様な効果が期待でき、さらに加えて、使用する対物レンズ７の同焦距離に合わせて対物レンズ７の取付け面位置を調整できるので、対物レンズ７の取付けネジ径が同じであれば、一つの対物交換機構４で同焦距離の異なる対物レンズ７に対応させることができる。また、各対物レンズ７の持つ同焦距離のバラツキや、標本２が水溶液中にある場合のように標本２面から水面までの距離のバラツキに対しても、対物レンズ７の取付け面位置を調整補正できるので、対物レンズ変換時のピント合わせ直しが不要になり、対物交換操作が簡単にできる。
【００４３】
なお、この第３の実施の形態では、同焦調整部材４１７は、ネジ部４１７１により同焦距離に応じた高さ調整を行うようにしたが、このようなネジ部を用いることなく、各対物レンズの同焦距離に合わせた寸法のもの（アダプタ）を用意し、使用する対物レンズに応じ、それぞれ対応するものを取付け使用するようにしてもよい。
（第４の実施の形態）
図１１は、本発明の第４の実施の形態に適用される対物レンズ交換機構４の概略構成を示している。
【００４４】
図において、４２０は対物レンズ交換機構４の固定部で、この固定部４２０上面にアリ４２１を設け、このアリ４２１により図１で述べた焦準部１０３に着脱可能にしている。
【００４５】
この固定部４２０には、ベアリング４２３を介して回転部４２２を図示矢印方向に回動可能に設けている。このこの回動部４２２は、少なくとも２個の対物レンズ６、７のレンズ取付け部４２５、４２６を有していて、この回転部４２２を回動させることで、これらレンズ取付け部４２５、４２６を選択的に固定部４２０の観察光軸上と一致させることができるようになっている。この場合、固定部４２０には、バネ力が加えられたクリック４２４を有していて、レンズ取付け部４２５、４２６のうちの一方が観察光軸上に位置したときに、図１１（ｂ）に示すように固定部４２０のクリック４２４が回転部４２２のＶ字溝４２２１に嵌合するようになっている。図面では、レンズ取付け部４２５が観察光軸上に位置して固定部４２０のクリック４２４がＶ字溝４２２１に嵌合した状態を示している。
【００４６】
回転部４２２のレンズ取付け部４２５、４２６は、それぞれネジ径および同焦距離が異なる対物レンズ６、７を取付け可能にしている。このうち、レンズ取付け部４２５は、射出瞳径の大きな低倍の大径タイプ対物レンズとして、ＮＡを大きく取るために取付けネジ径を大きく、ワーキングディスタンスを大きくするため同焦距離を大きくした対物レンズ６を取付けるための取付けネジ径の取付けネジ部４２５１を有し、また、取付け部４２６は、通常の対物レンズ７の取付けるため国際規格に則った取付けネジ径の取付けネジ部４２６１を有している。さらに、これら取付け部４２５、４２６は、対物レンズ６、７の同焦差分の段差を有する対物レンズ取付け面４２５２、４２６２を有し、同焦距離の異なる対物レンズ６、７を切換えた時にも同焦が保たれるようにしている。
【００４７】
従って、このようにすれば、上述した第１の実施の形態と同様な効果が期待でき、さらに加えて、回転部４２２を回転させるだけで対物レンズ６、７の切換えを行うことができるので、対物レンズ交換機構４の構成を、さらに簡単にできるとともに、安定した切換え動作も得られる。
【００４８】
なお、回転部４２２に設けられる取付けネジ部４２５の取付けネジ部４２５１は、大径タイプの対物レンズ６に合わせてあるが、通常対物レンズを使う場合に、この取付けネジ部４２５１を使ってアダプタを取付けてもよい。
【００４９】
なお、本発明は、以下の発明も含むものである。
（１）請求項１記載の発明において、さらに照明光学系および観察光学系に共通に挿入される励起フィルタ、ダイクロイックミラー、吸収フィルタを有するミラーユニットを備え、該ミラーユニットの励起フィルタを前記照明光学系の有効径に合わせた大きさに設定し、前記ダイクロイックミラーおよび吸収フィルタを前記観察光学系の有効径に合わせた大きさに設定している。
【００５０】
このようにすると、ダイクロイックミラーおよび吸収フィルタについては、観察光学系の有効径に合わせた大きさいものを用いるが、励起フィルタは、従来の大きさのものをそのまま使用できるので、スペース的に有利にできる。
【００５１】
（２）請求項１記載の発明において、対物レンズ交換手段は、取付けネジ径が同一の複数の対物レンズを着脱可能にするとともに、各対物レンズの同焦距離に応じて、それぞれの同焦が保たれるように各対物レンズの取付け面の高さを設定可能にしている。
【００５２】
（３）請求項１記載の発明において、前記観察光軸上に挿入位置決めされる所定の対物レンズは、射出瞳径の大きな倍率５倍以下の大径対物レンズからなっている。
【００５３】
【発明の効果】
以上述べたように、本発明によれば、観察光学系の有効径を大きくすることにより、蛍光標本の場合の観察像の明るさを増すことができ、より低い倍率での蛍光観察が可能になる。また、照明光学系については、有効径を大きくすることなく、従来のままとしておくことで、励起光の強度を変らないので、標本の損傷や退色の問題を悪化させることを防止できる。さらに、照明光学系（投光管、励起フィルタなど）は、従来のものをそのまま使用できるので、製造上有利であり、観察光学系のサイズアップだけで済むので、顕微鏡の小形化にも貢献することができる。
【００５４】
また、照明光学系の有効径に対応する瞳径を有する対物レンズ、いわゆる通常対物レンズと、観察光学系の有効径（照明光学系の有効径より大きく設定されている）に対応する瞳径を有する対物レンズ、いわゆる大径対物レンズを同じ対物レンズ交換手段とを装着し、これら対物レンズを切換えて使用することができる。  さらに、大径対物レンズを最適設計するために同焦距離を通常対物レンズと異ならした場合でも、同一の対物レンズ交換手段に装着して同焦が保たれた状態で切換えられるので、切換え時のピント合わせを不要にできる。
【図面の簡単な説明】
【図１】  本発明の第１の実施の形態に適用される落射蛍光顕微鏡の概略構成を示す図。
【図２】  第１の実施の形態に適用される落射蛍光顕微鏡の光路模式を示す図。
【図３】  第１の実施の形態に適用される落射蛍光顕微鏡の対物レンズ交換機構の概略構成を示す図。
【図４】  第１の実施の形態に適用される落射蛍光顕微鏡の対物レンズ交換機構の概略構成を示す図。
【図５】  第１の実施の形態に適用される落射蛍光顕微鏡のターレットの概略構成を示す図。
【図６】  第１の実施の形態に適用される落射蛍光顕微鏡のターレットのミラーユニットの概略構成を示す図。
【図７】  第１の実施の形態に適用される落射蛍光顕微鏡のターレットのミラーユニットの概略構成を示す図。
【図８】  本発明の第２の実施の形態に適用される落射蛍光顕微鏡の対物レンズ交換機構の概略構成を示す図。
【図９】  本発明の第３の実施の形態に適用される落射蛍光顕微鏡の対物レンズ交換機構の概略構成を示す図。
【図１０】  本発明の第３の実施の形態に適用される落射蛍光顕微鏡の対物レンズ交換機構の概略構成を示す図。
【図１１】  本発明の第４の実施の形態に適用される落射蛍光顕微鏡の対物レンズ交換機構の概略構成を示す図。
【符号の説明】
１…顕微鏡本体、
１０１…基部、
１０２…アーム、
２…標本、
３…ステージ、
４…対物レンズ交換機構、
４０１…固定部、
４０１１…開口部、
４０１２…ストッパ、
４０２…アリ、
４０３…アリ溝、
４０４…可動部、
４０５…レンズ取付け部、
４０５１…側面、
４０５２…取付けネジ部、
４０５３…対物レンズ取付け面、
４０６…レンズ取付け部、
４０６１…側面、
４０６２…取付けネジ部、
４０６３…対物レンズ取付け面、
４１０…固定部、
４１１…アリ、
４１２…軸、
４１３…回動部、
４１４、４１５…レンズ取付け部、
４１７…同焦調整部材、
４２０…固定部、
４２１…アリ、
４２２…回転部、
４２２１…Ｖ字溝、
４２３…ベアリング、
４２４…クリック、
４２５、４２６…レンズ取付け部、
５…ハンドル、
６、７…対物レンズ、
８…ランプハウス、
８０１…照明光、
９…投光管、
９０１…光学系、
１０…ミラーユニット、
１００１…アリ溝、
１１…励起フィルタ、
１２…ダイクロイックミラー、
１３…吸収フィルタ、
１４…鏡筒、
１５…接眼レンズ、
１６…ターレット、
１６０１…取付け部、
１６０２…回転体、
１６０３…直立軸、
１６０５…アリ、
１７…結像レンズ。
【図１】
0003877380.tif 000002
【図２】
0003877380.tif 000003
【図３】
0003877380.tif 000004
【図４】
0003877380.tif 000005
【図５】
0003877380.tif 000006
【図６】
0003877380.tif 000007
【図７】
0003877380.tif 000008
【図８】
0003877380.tif 000009
【図９】
0003877380.tif 000010
【図１０】
0003877380.tif 000011
【図１１】
0003877380.tif 000012